(57)【要約】【課題】複雑な操作を行うことなく、最終結果を視覚的に認識することができ、ユーザフレンドリなカスタマイズインタフェースを有する多機能周辺機器を提供する。【解決手段】実施形態によれば、多機能周辺機器は、デフォルトのユーザインタフェース画面、又は以前にカスタマイズしたユーザインタフェース画面をカスタマイズする機能を有する。このユーザインターフェースは、特定のアプリケーションを示すアイコンと、このアプリケーションの内容を示す文とからならボタンを有する。上記のユーザインタフェース画面をカスタマイズするモードに指定する。カスタマイズモードが指示されたとき、前記画面中のボタンを特定する特定手段を有する。当該ボタンが特定された際に、前記アプリケーションに関するユーザインタフェース画面上のアイコン及び前記アプリケーションのうち、少なくともどちらか一方の内容を変更する変更する。この変更された内容を、前記インターフェース画面に反映させる手段と有する。【選択図】  図１
2019036965.tif 000002
【特許請求の範囲】
【請求項１】
デフォルトのユーザインタフェース画面、又は以前にカスタマイズしたユーザインタフェース画面をカスタマイズする機能を有する多機能周辺機器において、
前記ユーザインターフェースは、特定のアプリケーションを示すアイコンと、このアプリケーションの内容を示す文とからならボタンを有し、
前記ユーザインタフェース画面をカスタマイズするモードに指定するカスタマイズ指定手段と、
この手段によりカスタマイズモードが指示されたとき、前記画面中のボタンを特定する特定手段と、
前記特定手段によりボタンが特定された際に、前記アプリケーションに関するユーザインタフェース画面上のアイコン及び前記アプリケーションのうち、少なくともどちらか一方の内容を変更する変更手段と、
この変更手段により変更された内容を、前記インターフェース画面に反映させる手段を有する多機能周辺機器。
【請求項２】
前記変更手段は、前記ボタンが特定された場合、アイコン、又はテキスト、又は関連する１つ以上のアプリケーションのプロパティに対する編集処理を実行する手段を含み、この手段により、編集された結果が、前記ユーザーインターフェース画面に反映される
請求項１に記載の多機能周辺機器。
【請求項３】
カスタマイズ指定手段によりカスタマイズモードに指定された際に、前記ユーザインタフェース画面の背景部分を選択する選択手段と
この選択手段により前記背景部分が選択された場合、背景用の複数のオプション画像を表示する手段と、この手段により表示された複数のオプション画像から、一つのオプション画像を特定する手段と、この手段により特定されたオプション画像を、前記インタフェース画面に反映させる
請求項１に記載の多機能周辺機器。
【請求項４】
カスタマイズ指定手段によりカスタマイズモードに指定された際に、前記ユーザインタフェース画面のテキスト部分を選択する手段と
この手段により前記テキスト部分が選択された場合、ユーザによるテキスト入力を許容する手段と、この手段によりテキストが変更された場合、前記ユーザーインターフェース画面に反映される
請求項１に記載の多機能周辺機器。
【請求項５】
ユーザが操作するユーザインタフェース画面を表示する表示入力手段と、ウェブサーバとして機能し、前記表示入力手段に表示される前記ユーザインタフェース画面をカスタマイズすることが可能なコントローラと、を具備する多機能周辺機器と、
前記多機能周辺機器とネットワーク接続され、設定ツールによって作成されたカスタマイズ用の画像ファイルを作成する管理端末と、
を有し、
前記多機能周辺機器の前記コントローラは、
電子アプリケーションを実行して前記ユーザインタフェース画面の構成を前記表示入力手段に表示し、
前記管理端末によって作成されたカスタマイズ用の画像ファイルを取得し、
前記カスタマイズ用の画像ファイルを用いて前記ユーザインタフェース画面をカスタマイズした結果を表示および登録する
多機能周辺機器システム。
【請求項６】
デフォルトのユーザインタフェース画面、又は以前にカスタマイズしたユーザインタフェース画面をカスタマイズする方法において、
前記ユーザインターフェースは、特定のアプリケーションを示すアイコンと、このアプリケーションの内容を示す文とからならボタンを有し、
前記ユーザインタフェース画面をカスタマイズするモードに指定するカスタマイズ指定ステップと、
このステップによりカスタマイズモードが指示されたとき、前記画面中のボタンを特定する特定ステップと、
前記特定ステップによりボタンが特定された際に、前記アプリケーションに関するユーザインタフェース画面上のアイコン及び前記アプリケーションのうち、少なくともどちらか一方の内容を変更する変更ステップと、
この変更ステップにより変更された内容を、前記インターフェース画面に反映させるステップ
を有する多機能周辺機器のユーザインターフェースカスタマイズ方法。
【発明の詳細な説明】
【技術分野】
【０００１】
本出願は、２０１７年４月２８日に出願された米国特許出願第６２／４９１，５５３号の利益を主張するものであり、その全体が参照により本明細書に組み込まれる。本出願は、２０１６年５月１１日に出願された米国仮出願第６２／３３４，６３４号の利益を主張する、２０１７年３月１０日に出願された米国特許出願第１５／４５５，３４８号の一部継続出願でもあり、いずれの出願も参照により本明細書に組み込まれる。本出願は、２０１６年７月１１日に出願された米国仮出願第６２／３６０，５８１号の利益を主張する、２０１７年３月１０日に出願された米国特許出願第１５／４５５，７８５号の一部継続出願でもあり、いずれの出願も参照により本明細書に組み込まれる。
【０００２】
本発明は、多機能周辺機器のデバイスインタフェースの設定に関する。より具体的には、ウェブインタフェースを介した、多機能周辺機器用のタッチスクリーンユーザインタフェースの遠隔カスタマイズに関する。
【背景技術】
【０００３】
文書処理装置は、プリンタ、複写機、スキャナ及び電子メールゲートウェイを含む。近年、これらの機能を２つ以上使用する機器がオフィス環境に見られる。これら機器は、多機能周辺機器（ＭＦＰ）又は多機能デバイス（ＭＦＤ）と呼ばれる。本明細書において、ＭＦＰと記載した場合、ＭＦＰは、プリンタ単独、あるいは、前述の他の機能と組み合わせたプリンタを含むものとする。さらに、任意の適切な文書処理装置を用いてもよいものとする。
【０００４】
従来は、ユーザは、エレクトロメカニカルスイッチを介して、例えば、専用の「コピー」ボタンを押したり、あるいは、遠隔のファクシミリ装置に接続されている場合にファックス番号をダイヤルして「送信」スイッチを押したりすることで、ＭＦＰを操作していた。ＭＦＰは、ますます高性能化しており、それに応じて、ユーザの操作がより複雑になっている。現在、一般的に、ＭＦＰ装置は、タッチスクリーンユーザインタフェースを有する。タッチ選択可能な領域を有するスクリーンによって、様々な機能や制御を表示したり選択したりすることができる。
【０００５】
エンドユーザは、自分のＭＦＰ装置のユーザインタフェースをカスタマイズしたいと望むことが多い。例えば、会社は、印刷コストを節約するために、カラー印刷用のオプションを完全に削除することを望む場合がある。また、会社は、特定のジョブ機能又は特殊なジョブ機能を特別に必要とする場合がある。ユーザは、このようなジョブ機能を使用する度に、一連の複雑なメニューを順に閲覧し操作しなければならないことがある。カスタマイズされたインタフェース用のソフトウェアコードを変更する手続きは複雑であるため、ＭＦＰのメーカーが行うのが一般的である。大企業であれば、デバイスメーカーに料金を支払って、企業が所有するデバイスに使用する特定のユーザインタフェースを生成してもらうことができるかもしれない。しかし、その費用は、多くのエンドユーザにとっては非常に高価である。
【０００６】
ＭＦＰのユーザインタフェースは、ＭＦＰのインテリジェントコントローラ上で動作するソフトウェアを介してカスタマイズすることができる。カスタマイズのためのユーザインタラクションは、ＭＦＰに組み込まれたタッチスクリーンを用いて行うことができる。デバイス機能は、埋め込みウェブアプリケーション等を含む呼び出し可能なアプリケーションのメニューの中から選択することにより、適切にカスタマイズすることができる。これは非常に有利であるが、ＭＦＰのタッチスクリーンを用いてカスタマイズする場合、特にカスタマイズインタフェースがセットアップ中の場合、ユーザはこのカスタマイズインタフェースがロード後にどのように表示されるのかを視覚的に認識することができない。
【０００７】
また、企業内での要求、企業イメージ及び専門的なサービスの契約に基づいて、ユーザインタフェースをアップデート及びカスタマイズするのが有利である。カスタマイズファイル又は一連のユーザインタフェース制御を設定することにより、ユーザインタフェースをカスタマイズすることができる。しかし、この方法では、ユーザは最終結果を視覚的に認識することができない。また、編集したりカスタマイズしたりすることで、予測できない結果が生じることがある。さらに、管理者が１台以上のＭＦＰを物理的に操作してメニューをカスタマイズするのは不便である。
【先行技術文献】
【特許文献】
【０００８】
【特許文献１】特許第５１４２８５２号公報
【特許文献２】特開２００９−５４０２７号公報
【発明の概要】
【発明が解決しようとする課題】
【０００９】
カスタマイズ可能なインタフェースを提供する１つの方法は、ユーザが利用できるカスタマイズインタフェースを生成することである。そのためには、カスタマイズするためのメカニズムを有し、対象のデバイスと完全に互換性があり、自動的にロードするために簡単に保存することができるユーザフレンドリなカスタマイズインタフェースが必要となる。
【００１０】
本発明が解決しようとする課題は、複雑な操作を行うことなく、最終結果を視覚的に認識することができ、ユーザフレンドリなカスタマイズインタフェースを有する多機能周辺機器、多機能周辺機器システムおよび多機能周辺機器のユーザインターフェースカスタマイズ方法を提供することを目的とする。
【課題を解決するための手段】
【００１１】
本発明の例示的な実施形態によれば、多機能周辺機器は、デフォルトのユーザインタフェース画面、又は以前にカスタマイズしたユーザインタフェース画面をカスタマイズする機能を有する。このユーザインターフェースは、特定のアプリケーションを示すアイコンと、このアプリケーションの内容を示す文とからならボタンを有する。上記のユーザインタフェース画面をカスタマイズするモードに指定する。カスタマイズモードが指示されたとき、前記画面中のボタンを特定する特定手段を有する。当該ボタンが特定された際に、前記アプリケーションに関するユーザインタフェース画面上のアイコン及び前記アプリケーションのうち、少なくともどちらか一方の内容を変更する変更する。この変更された内容を、前記インターフェース画面に反映させる手段と有する。
【００１２】
各実施形態は、以下の説明、添付した特許請求の範囲、及び添付した図面により理解されるであろう。
【図面の簡単な説明】
【００１３】
【図１】図１は、遠隔操作可能でユーザカスタマイズ可能なＭＦＰインタフェースシステムの例示的な実施形態を示す。
【図２】図２は、文書レンダリングシステムの例示的な実施形態を示す。
【図３】図３は、ユーザインタフェースカスタマイズツール用のウェブサーバの例示的な実施形態を示す。
【図４】図４は、ユーザインタフェースカスタマイズシステムの例示的な実施形態のフローチャートを示す。
【図５】図５は、ユーザインタフェースカスタマイズ用の第１のインタラクティブプレビュー画面の例示的な実施形態を示す。
【図６】図６は、ユーザインタフェースカスタマイズ用の第２のインタラクティブプレビュー画面の例示的な実施形態を示す。
【図７】図７は、ユーザインタフェースカスタマイズ用の第３のインタラクティブプレビュー画面の例示的な実施形態を示す。
【図８】図８は、ユーザインタフェースカスタマイズ用の第４のインタラクティブプレビュー画面の例示的な実施形態を示す。
【図９】図９は、ユーザインタフェースカスタマイズ用の第５のインタラクティブプレビュー画面の例示的な実施形態を示す。
【図１０】図１０は、ユーザインタフェースカスタマイズ用の第６のインタラクティブプレビュー画面の例示的な実施形態を示す。
【発明を実施するための形態】
【００１４】
本明細書に開示されたシステム及び方法を、例示として図面を参照して詳細に説明する。開示された実施例、配置、構成、構成要素、要素、装置、デバイス、方法、システム等は、適宜変更することができる。また、特定の用途のために変更するのが望ましいことが理解されよう。本開示において、具体的な技術、配置等を特定していたとしても、提示された具体例に関連するものであるか、または、そのような技術、配置等を一般的に説明したものに過ぎない。具体的な詳細又は具体的な例を特定することは、別段の定めがない限り、義務的又は限定的であることを意図したものではなく、また、そのように解釈すべきではない。
【００１５】
ＭＦＰのタッチスクリーンユーザインタフェースにより、文書のファックス、スキャン、印刷又は電子メール送信等の、多様なデバイス機能へアクセスすることができる。さらに別の機能の選択肢（用紙サイズの選択、ページ順の照合、穴あけ、ステープリング、両面印刷又は１枚の用紙に対する複数ページのＮアップ印刷等）を追加してもよい。ユーザインタフェースを構成するタッチスクリーン（表示入力手段）は、ユーザがユーザＩＤ及びパスワードを用いてログインするために使用してもよい。タッチスクリーンは、特定の請求口座にジョブ費用を請求するために使用してもよい。
【００１６】
図１は、遠隔操作可能でユーザカスタマイズ可能なＭＦＰインタフェースシステム１００の例示的な実施形態を示す。
このＭＦＰインタフェースシステム１００により、一度実装され、且つ、カスタマイズされたインタフェースの画面がどのように表示されるかを即座に視覚化（表示）することができる。ＭＦＰ１１０は、ユーザインタフェース１２０を有する。ユーザインタフェース１２０は、タッチスクリーン１３０を含む。ＭＦＰ１１０は、クラウド１４０との接続を介して、ローカルエリアネットワーク（ＬＡＮ）、広域ネットワーク（ＷＡＮ）、若しくはグローバルインターネット又はそれらの組み合わせとネットワークデータ通信を行う。また、クラウド１４０には、さらに、管理端末１５０が接続されている。後述するように、管理端末１５０により、ＭＦＰ１１０のユーザインタフェース１２０の遠隔カスタマイズが容易になる。
【００１７】
図２は、文書レンダリングシステム２００の例示的な実施形態を示す。図１に示すＭＦＰ１１０は、文書レンダリングシステム２００を適切に含む。文書レンダリングシステム２００には、プロセッサ２０２として示すような１以上のプロセッサから構成されるコントローラ２０１が含まれる。プロセッサ２０２を含む各プロセッサは、データバス２１２を介して、ＲＯＭ２０４及びランダムアクセスメモリ（ＲＡＭ）２０６等の不揮発性メモリと適切に接続される。不揮発性メモリには、複数のデバイス制御アプリケーションが格納されている。複数のデバイス制御アプリケーションは、後述する複数の機能部（サブシステム）のサブセットに対応して従事する。また不揮発性メモリには、複数の画像ファイルが格納される。各画像ファイルは、タッチスクリーンを含むユーザインタフェース上のデバイス制御アプリケーションに対応するインタフェース画像を生成するために使用される。
【００１８】
プロセッサ２０２は、また、ストレージ２１６への読込み又は書込みを行うためのストレージインタフェース（Ｉ／Ｆ）２０８とデータ通信する。ストレージ２１６は、ハードディスク、光ディスク、固体ディスク、クラウド系ストレージ、又は当業者には理解されるような他の適切なデータストレージから適切に構成される。
【００１９】
プロセッサ２０２は、また、ネットワークインタフェース（Ｉ／Ｆ）２１０とデータ通信する。ネットワークインタフェース２１０は、ネットワークインタフェースコントローラ（ＮＩＣ）２１４にインタフェースを提供する。ＮＩＣ２１４は、任意の適切な有線／物理ネットワーク接続２２０、又は無線ネットワークインタフェース２１８を介した無線データ接続に順にデータパスを提供する。無線接続の例としては、セルラー、ワイファイ（Ｗｉ−Ｆｉ）、ブルートゥース（Ｂｌｕｅｔｏｏｔｈ）、ＮＦＣ、無線ユニバーサルシリアルバス（無線ＵＳＢ）、衛星等が挙げられる。有線インタフェースの例としては、イーサネット（Ｅｔｈｅｒｎｅｔ）、ＵＳＢ、ＩＥＥＥ１３９４（ファイアワイア（ＦｉｒｅＷｉｒｅ））、アップルライティング（Ａｐｐｌｅ  Ｌｉｇｈｔｎｉｎｇ（登録商標））、電話回線等が挙げられる。プロセッサ２０２は、また、１つ以上のセンサ２１９とデータ通信する。当該１つ以上のセンサ２１９は、装置温度、周囲の温度、湿度、装置の動き等の、装置の状態又は周囲の環境に関するデータを提供する。
【００２０】
プロセッサ２０２は、ユーザ周辺機器にデータ通信を提供する、ディスプレイ、キーボード、マウス、トラックボール、タッチスクリーン等の任意の適切なユーザ入力／出力（Ｉ／Ｏ）インタフェース（以下、単にユーザインタフェースを称する）２２１とデータ通信することもできる。また、データバス２１２とデータ通信しているものには、ＭＦＰ機能部２５０とのデータ通信に適した文書プロセッサインタフェース（Ｉ／Ｆ）２２２がある。図２の例では、これらＭＦＰ機能部２５０には、ＭＦＰ機能ハードウェアを構成するコピーハードウェア２４０、スキャンハードウェア２４２、プリントハードウェア２４４、及びファックスハードウェア２４６が含まれる。ＭＦＰ機能部２５０は、任意の適切なハードウェアプラットフォーム又はソフトウェアプラットフォームを含むインテリジェントユニットから適切に構成されるものとする。
【００２１】
ユーザインタフェース２２１のハードウェアモニタ（タッチスクリーン）は、デバイスイベントデータを適切に提供し、適切なモニタリングシステムと連携して動作する。更なる例として、モニタリングシステムは、ページカウンタ並びに消費可能レベルセンサ、温度センサ、電力品質センサ、デバイスエラーセンサ及びドア開放センサ等のセンサ出力を含んでもよい。データは、図２に示すストレージ２１６等の１以上のデバイスログに適切に記憶される
【００２２】
コントローラ２０１は、装置設定及び装置管理のための埋め込みウェブサーバシステムを適切に備えている。ウェブサーバは、東芝テック社から入手可能なトップアクセスコントローラ（ＴＯＰ  ＡＣＣＥＳＳ  Ｃｏｎｔｒｏｌｌｅｒ）（図面において「ＴＡ」と記載することがある）から適切に構成される。
コントローラ２０１、埋め込み電子アプリケーションを実行してユーザインタフェース画面の構成をタッチスクリーンに表示し、ネットワーク接続される管理端末１５０の設定ツールによって作成されたカスタマイズ用の画像ファイルを取得し、カスタマイズ用の画像ファイルを用いてユーザインタフェース画面をカスタマイズした結果を表示および登録する機能を有する。
【００２３】
図３は、ＭＦＰのユーザインタフェース２２１のカスタマイズツール３００用のウェブサーバの例示的な実施形態を示す。カスタマイズツール３００は、トップアクセス等のプラットフォーム、及びウェブクライアントアクセスを介して使用することができる。カスタマイズのオプションは、埋め込み電子アプリケーション（ｅアプリ）から選択可能である。
図３の例における埋め込みアプリケーションには、コピーｅアプリ３０４及びスキャンｅアプリ３１６が含まれる。コピーｅアプリ３０４は、１つ以上の選択可能なプロファイル３０８によりデバイスのコピー機能を制御する機能を有する。トップアクセスユーザインタフェースリンク（ＴＡＵＩ リンク）３１２により、デバイスインタラクションが可能となる。同様に、スキャンｅアプリ３１６は、１つ以上の選択可能なプロファイル３２０及びトップアクセスユーザインタフェースリンク（ＴＡＵＩ リンク）３２４を含む。ユーザインタフェース画面が構築されると、ユーザは、ブロック３２７において、その結果をタッチスクリーン１３０から確認することができる。ブロック３２７では、そのユーザインタフェースの構成がどのように表示されるかがレンダリングされる。
【００２４】
図３に示す例示的な実施形態では、他の呼び出し可能なｅアプリであるカスタマイズｅアプリ３１４により、カスタマイズが行われる。カスタマイズｅアプリ３１４は、ＸＭＬ（extensible markup language）ｅアプリパーサ３２８、カスタマイズユーザインタフェース（ＵＩ）／ｅアプリ設定（コンフィギュレータ）３３２、及びＸＭＬユーザインタフェース（ＵＩ）パーサ３３６を含む。
【００２５】
管理端末１５０のウェブインタフェースを介したユーザインタラクションは、設定ツール３５０を介して行われる。設定ツール３５０は、ｅアプリパッケージ３５４を用いてカスタマイズｅアプリ３１４を呼び出す。ｅアプリパッケージ３５４により、ＸＭＬ及びＧＩＦ、ＴＩＦＦ、ＪＰＥＧ、又は他の適切な画像ファイルフォーマットの画像ファイルとのインタラクションが可能となる。このような画像ファイルにより、ユーザは、会社ロゴ等の画像をユーザインタフェース２２１上に配置することができる。カラースキーム、メニューレイアウト、背景画像、利用可能なデバイス機能及び階層化されたインタフェース画面の順序を選択するようにカスタマイズしてもよい。
【００２６】
ユーザインタフェース画面が構築されると、ブロック３６０において、当該ユーザインタフェースが登録され、タッチスクリーン１３０に表示される。ｅアプリのアップデート又はパッチ（修正）は、パッチリクエスト３６２とのネットワーク接続を介して、適切に行われる。ブロック３６４において、当該パッチのｅアプリでの使用の可否が判断される。あるいは、ブロック３６８において、当該パッチの表示の可否が判断される。
【００２７】
以上のようにして、多機能周辺機器のルックアンドフィール（インタフェースのデザイン及び振る舞い）をカスタマイズするためのウェブベースのユーザインタフェース用のプラットフォームが提供される。当該ユーザインタフェース画面は、テンプレートのレイアウトを選択し、そのテンプレートのレイアウト内に配置する常駐アプリケーションを追加し、これらアプリケーションをカスタマイズし、本物のようなリアルなプレビュー及びインプレイス編集を提供するユーザインタフェース画面を利用することにより、多機能周辺機器のルックアンドフィールをカスタマイズする。これにより、ユーザビリティが向上し、結果の予測可能性が向上する。
【００２８】
図４は、ユーザインタフェース（図１の符号１２０）をカスタマイズシステムする例示的な実施形態のフローチャート４００を示す。動作はブロック４０４で開始される。プレビュー画面、すなわち、デフォルトのユーザインタフェース画面又は以前にカスタマイズされたユーザインタフェース画面が、ブロック４０８で適切にタッチスクリーン１３０に表示される。この実施形態では、カスタマイズ時に表示されるユーザーインターフェースとして、テンプレートを用意することとした。ユーザーは、このテンプレートに対し、カスタマイズを施すことになる。
ブロック４１６において、プレビュー背景をマウスでクリックすることにより、背景の変更を選択することができる。背景の変更が選択された場合、ブロック４２０において、ユーザは背景オプションから背景を選択する。ブロック４２４においてユーザが背景を選択したと判断すると、ブロック４２８において背景が変更され、プレビューが生成される。さらにカスタマイズを行う場合、システムは、今回アップデートされたプレビュー画面の表示ブロック４０８に戻る。さらにカスタマイズを行わない場合、処理はブロック４３２で終了する。
【００２９】
ブロック４３６において、ユーザがプレビューインタフェース上のボタンをクリックすると、エレメントを選択するための画面がタッチスクリーン１３０に表示される。この実施形態では、ブロック４４０に示すように、編集可能なエレメントを表示する。ブロック４４４でアイコン又は他のグラフィックエレメントが選択され、呼び出される。また、ブロック４４８でテキストを編集する機会が与えられる。関連する１つ以上のアプリケーションのプロパティは、ブロック４５０で編集する。
ブロック４５４で変更が行われ、許可された場合、ブロック４５６でアイコンのビューがアップデートされる。さらにユーザインタフェース画面のカスタマイズが行われない場合、処理はブロック４５８で終了する。さらにユーザインタフェース画面のカスタマイズが行われる場合、処理は、ブロック４０８に適切に戻る。ブロック４６２において、テキストプレビューに対して上記と同様の処理が行われる。カスタマイズが完了した場合には処理はブロック４６４で終了し、さらにカスタマイズが必要な場合はブロック４０８に戻る。変更された設定は、ブロック４６８において適切にプレビューされる。処理はブロック４７０で終了するか、ブロック４０８に戻る。変更が行われない場合又は変更が許可されない場合、処理はブロック４０８に戻る。
【００３０】
ブロック４７４において、タッチスクリーン１３０に表示されるプレビューインタフェースのイメージ上でユーザがロゴ又はロゴ領域をクリックした場合、ユーザは、ブロック４７８において、所望の電子画像ファイルの位置の選択をシステムに指示するよう求められる。ブロック４８０においてファイル位置が選択されると、ブロック４８４においてプレビューイメージがアップデートされ、処理はブロック４９０で終了する。さらにカスタマイズを行う場合、処理はブロック４０８に戻る。
【００３１】
図５〜図１０は、それぞれ、ユーザインタフェースカスタマイズ用のインタラクティブプレビュー画面（ウェブページ）の例示的な実施形態を示す。
図５において、ウェブページ５００は、図１に示す管理端末１５０等のウェブインタフェース上で生成される。ユーザがレイアウトを閲覧するためにボタン５０２を選択すると、レイアウトオプション５０４、５０６、５１０、及び５１４が表示される。これらのオプシン５０４，５０６，５１０、５１４は、テンプレートとなっている。レイアウトとしては、４種類の選択可能なテンプレートを具備している。例えば、ユーザは、レイアウト５０４を選択すると、符号５２０に示すように選択可能なボタン領域を左寄せして配置することができる。この表示されたレイアウト表示は、背景、ボタン、ロゴからなるが、左に表示されるボタンには、既に、一定の機能（アプリ）が対応付けられている。このボタンは、いわゆるアイコン画像と、そのボタンに対応するアプリの概要またはユーザー社内での説明文とからなる。
【００３２】
図６は、プレビューユーザインタフェース画面（ウェブページ）のカスタマイズ画面６００の例示的な実施形態を示す。この場合、ユーザーは、ボタンにより特定される処理（アプリ）の変更、つまり、機能の変更を希望するとする。カスタマイズ画面６００において、ユーザは、自分だけのカスタマイズされたフォームをロードするためにボタン６０４を選択する（図４のブロック４３６に相当）。ユーザは、符号６１０で示す適切な情報を表示パネルより入力し、カスタマイズされたユーザインタフェース画面を介して１つ以上のカスタムフォームが利用可能になる。ここでは、登録フォームをユーザーの固有の形態に変更することを希望する場合となる。ボタン６０４を選択すると、画面右には、「スキャントゥフォルダの場所設定」というガイドが表示される（図４のブロック４５０に相当）。その下のフィールドには、プロダウン形式で、アプリケーションが表示される。ここでは、「スキャントゥフォルダアプリ」をユーザーが選択する。さらに、その下のフィールドで、ロケーションパス「＼＼path＼folder」を指定する。続いて、ファルダー管理のために、「ユーザー名」と「パスワード」を入力する。デフォルトのファイルフォーマットは、プルダウンメニューで選択可能となっている。ユーザーが編集可能であるか、設定を表示するか否かも選択可能となっている。なお、これら情報により、図３での処理がなされ、特定の機能が実現される。
【００３３】
図７は、プレビューユーザインタフェース画面（ウェブページ）のカスタマイズ画面７００の例示的な実施形態を示す。ここでは、ボタンの図柄を変更したいとする。カスタマイズ画面７００において、ユーザは、ボタン領域のアイコンを選択するためにアイコン領域７０４を選択する。この選択に呼応し、選択可能なアイコンのリストが、画面領域７０８に表示される。ユーザは、画面領域７０８に表示されるアイコンの中から希望するアイコンを任意に選択する。これで、アイコンの変更処理が実行される。
【００３４】
図８は、プレビューユーザインタフェース画面（ウェブページ）８００の例示的な実施形態を示す。この図では、背景の変更の例である。画面上で、背景をクリック（図４のブロック４１６に相当する）すると、プレビューユーザインタフェース画面８００では、背景のリストが画面領域８１０に表示される。背景のリスト中で背景８２０が選択された場合、背景領域８５０としてプレビューに表示（変更）される。
【００３５】
図９は、プレビューユーザインタフェース画面（ウェブページ）９００の例示的な実施形態を示す。この実施形態では、タグラインを編集するために、タグライン領域９１０をクリックして選択する（図４のブロック４４８に相当）。
【００３６】
図１０は、プレビューユーザインタフェース（ウェブページ）画面１０００の例示的な実施形態を示す。図９に示すタグライン領域９１０を選択すると、図１０に示すテキスト入力ボックス１０１０が表示される。テキスト入力ボックス１０１０において、変更（編集入力）が行われ保存される。
上述のように、直観的なユーザインタフェース画面のカスタマイズツールにより、ユーザインタフェース画面を適切に遠隔カスタマイズすることができる。一方、ユーザは、ユーザインタフェース画面がＭＦＰに適用されると、どのように見えるかをリアルタイムに視覚的に認識することができる。
【００３７】
特定の実施形態について説明したが、これらの実施形態は単なる例示として提示されたものであり、本発明の範囲を限定することを意図したものではない。実際、本明細書に記載の新規な実施形態は、他の様々な形式で実施することができる。さらに、本明細書に記載された実施形態の形式において、本発明の精神を逸脱することなく、様々な省略、置換及び変更が可能である。添付の特許請求の範囲及びそれらの均等物は、本発明の精神及び範囲内に含まれる形式又は改変を含むことが意図される。
【符号の説明】
【００３８】
１００…ＭＦＰインタフェースシステム
１１０…ＭＦＰ
１２０…ユーザインタフェース
１３０…タッチスクリーン
１４０…クラウド
１５０…管理端末
２００…文書レンダリングシステム
２０１…コントローラ
２１９…センサ
２２１…ユーザインタフェース（Ｉ／Ｆ）
２２２…文書プロセッサインタフェース（Ｉ／Ｆ）
２４０…コピーハードウェア
２４２…スキャンハードウェア
２４４…プリントハードウェア
２４６…ファックスハードウェア
２５０…機能部
３００…カスタマイズツール
３５０…設定ツール
５００、６００、７００、８００、９００、１０００…インタラクティブプレビュー画面（ウェブページ）
【図１】
2019036965.tif 000003
【図２】
2019036965.tif 000004
【図３】
2019036965.tif 000005
【図４】
2019036965.tif 000006
【図５】
2019036965.tif 000007
【図６】
2019036965.tif 000008
【図７】
2019036965.tif 000009
【図８】
2019036965.tif 000010
【図９】
2019036965.tif 000011
【図１０】
2019036965.tif 000012